(57)【要約】【課題】簡易な構造で安価であり、既設のトイレットペーパーホルダーに簡単に取付けることができ、トイレットペーパーの先端部を必要長さ分片手でも簡単に引き出すことができるトイレットペーパー引出具を提供する。【解決手段】発泡樹脂で筒状に形成され、ホルダー１１の芯材２１の外周面とロール３１の軸芯空間部３２の内壁面３２ａとの間隙に介挿され、外壁がロール３１の内壁面３２ａに圧接してロール３１と一体に回転する筒状部２と、薄板で形成され、筒状部２の端部にロール３１の側面３３と平行に取付けられ、回転操作されることにより筒状部２を一体に回転させるハンドル板部３とで構成した。【選択図】図３
2016198335.tif 000002
【特許請求の範囲】
【請求項１】
弾性材で筒状に形成され、保持腕部と上蓋と芯材とを備えたトイレットペーパーホルダーの該芯材の外周面とトイレットペーパーロールの軸芯空間部の内壁面との間隙に介挿され、外壁が前記トイレットペーパーロールの内壁面に圧接して該トイレットペーパーロールと一体に回転する筒状部と、
薄板で形成され、前記筒状部の端部に前記トイレットペーパーロールの側面と平行に取付けられ、回転操作されることにより前記筒状部を一体に回転させるハンドル板部と、
を備えたことを特徴とするトイレットペーパー引出具。
【請求項２】
前記ハンドル板部は、前記トイレットペーパーホルダーの上蓋の側縁部と該トイレットペーパーホルダーの保持腕部との隙間内に配置されるよう形成されたことを特徴とする請求項１に記載のトイレットペーパー引出具。
【請求項３】
前記ハンドル板部は、前記トイレットペーパーホルダーの上蓋及び該ホルダーにおける前記芯材の取着軸を保持する軸受部との干渉を回避する形状に屈曲形成されたことを特徴とする請求項１または請求項２に記載のトイレットペーパー引出具。
【請求項４】
前記ハンドル板部は、外周部に引掛部が形成され、該引掛部に指が引掛けられて回転操作されることにより前記筒状部を一体に回転させることを特徴とする請求項１乃至請求項３のいずれかに記載のトイレットペーパー引出具。
【請求項５】
前記ハンドル板部の引掛部は、前記外周部に複数の切欠部が周方向に間隔をおいて設けられて成ることを特徴とする請求項４に記載のトイレットペーパー引出具。
【発明の詳細な説明】
【技術分野】
【０００１】
本発明は、ロール状のトイレットペーパーの先端部をトイレットペーパーホルダーの上蓋の先端縁部から引き出すために該ホルダーに取付けられるトイレットペーパー引出具に関するものである。
【背景技術】
【０００２】
ロール状のトイレットペーパーの先端部をトイレットペーパーホルダーの上蓋の先端縁部から必要長さ分を引き出すときには、一方の手で該ホルダーの上蓋を少し上方に開き、他方の手でペーパーの先端部を摘んで引き出している。そして、引き出した後は、上蓋を押さえながら該上蓋の先端縁部でペーパーを切断している。
【０００３】
ところで、ペーパーを引き出す際に、ペーパーの切断端部がホルダーの上蓋の先端縁部に食い付いて剥がしにくく円滑に引き出せないことがある。また、片方の手しか使えない状況にあるときも同様にペーパーを引き出しにくい。この点に関しては、特許文献１に、ペーパーに直接手を触れずに引き出すことができるハンドルが開示されている。特許文献１のトイレットペーパーホルダーは、トイレットペーパーの芯が装着される回転軸に羽根状の手回しハンドルを備えていて、手回しハンドルを手で回すことにより片手で本体部の下方にトイレットペーパーの先端部を引き出せるようになっている。
【先行技術文献】
【特許文献】
【０００４】
【特許文献１】特開２０１３−１６９３８３号公報
【発明の概要】
【発明が解決しようとする課題】
【０００５】
しかし、特許文献１のトイレットペーパーホルダーは、片方の手で使用できるものとして専用に用意されるものであるから、既設のトイレットペーパーホルダーが取付けられている場合は、一旦それを取り外して付け替えなければならない。また、特許文献１のトイレットペーパーホルダーは構造が複雑でコスト高でもある。
【０００６】
そこで、本発明は、簡易な構造で安価であり、既設のトイレットペーパーホルダーに取付けることができ、トイレットペーパーの先端部を必要長さ分片手でも簡単に引き出すことができるトイレットペーパー引出具の提供を課題とするものである。
【課題を解決するための手段】
【０００７】
請求項１のトイレットペーパー引出具は、弾性材で筒状に形成され、保持腕部と上蓋と芯材とを備えたトイレットペーパーホルダーの該芯材の外周面とトイレットペーパーロールの軸芯空間部の内壁面との間隙に介挿され、外壁が前記トイレットペーパーロールの内壁面に圧接して該トイレットペーパーロールと一体に回転する筒状部と、薄板で形成され、前記筒状部の端部に前記トイレットペーパーロールの側面と平行に取付けられ、回転操作されることにより前記筒状部を一体に回転させるハンドル板部と、を備えている。
【０００８】
請求項２のトイレットペーパー引出具は、ハンドル板部が、トイレットペーパーホルダーの上蓋の側縁部とトイレットペーパーホルダーの保持腕部との隙間内に配置されるよう形成されている。
請求項３のトイレットペーパー引出具は、ハンドル板部が、トイレットペーパーホルダーの上蓋及び該ホルダーにおける芯材の取着軸を保持する軸受部との干渉を回避する形状に屈曲形成されている。
【０００９】
請求項４のトイレットペーパー引出具は、ハンドル板部が、外周部に引掛部が形成され、該引掛部に指が引掛けられて回転操作されることにより筒状部を一体に回転させるものである。
請求項５のトイレットペーパー引出具は、ハンドル板部の引掛部が、外周部に複数の切欠部が周方向に間隔をおいて設けられて成る。
【発明の効果】
【００１０】
請求項１の発明は、引出具の筒状部をトイレットペーパーホルダーの芯材の外周面とトイレットペーパーロールの軸芯空間部の内壁面との間に介挿し、ハンドル板部をトイレットペーパーロールの側面と平行に配置して、引出具を既存のホルダーに取付けることができる。
請求項２及び請求項３の発明は、ハンドル板部を、トイレットペーパーホルダーの上蓋の側縁部とトイレットペーパーホルダーの保持腕部との隙間内に配置させることができるから、ハンドル板部がトイレットペーパーホルダーの上蓋や該ホルダーにおける芯材の軸受部などと干渉するのを回避してハンドル板部を円滑に回転させることできる。
【００１１】
そして、請求項１乃至請求項３の発明は、引出具を既存のホルダーに取付けた後は、ハンドル板部を回転操作すると、筒状部も一体に回転し、それに伴って、内壁面が筒状体に圧接しているトイレットペーパーロールも一体に回転する。このため、ハンドル板部を指で回転操作するだけで、トイレットペーパーロールを回転させることができるので、片手でも、簡単にトイレットペーパーの先端をホルダーの上蓋の先端縁部から離間させて引き出すことができる。また、ペーパーに手を触れることなく引き出すことができるので、衛生的である。更に、引出具は、筒状部とハンドル板部のみの簡易な構造となっており、安価に製作できる。  
【００１２】
請求項４の発明は、ハンドル板部の外周部に引掛部が形成されているので、指の掛かりが良く、指で円滑にハンドル板部を回転操作することができる。
請求項５の発明は、ハンドル板部の引掛部が、複数の切欠部で形成されているので、簡易な構成で引掛部を形成できる。
【図面の簡単な説明】
【００１３】
【図１】本発明の実施形態の引出具を示し、(a)は正面図、(b)は(a)のＡ−Ａ切断線による断面図である。
【図２】図１の引出具の分解断面図である。
【図３】トイレットペーパーホルダーに図１の引出具を取付けた状態を示し、(a)は一部破断正面図、(b)は左側面図である。
【図４】トイレットペーパーを引き出す途中の状態を示す左側面図である。
【図５】トイレットペーパーを引き出した後の状態を示す斜視図である。
【図６】図１の引出具の変形例を示す要部断面図である。
【図７】図１の引出具の更に別の変形例を示す断面図である。
【図８】図１のハンドル板部の変形例を示す要部拡大断面図である。
【発明を実施するための形態】
【００１４】
以下、本発明の実施形態のトイレットペーパー引出具を図に基づいて説明する。なお、本実施形態において、前方とは、使用者側に向く方向であり、後方とはその逆の方向を意味する。
トイレットペーパー引出具は、既設のトイレットペーパーホルダーに取付けられてロール状のトイレットペーパーの引き出しを補助するものである。なお、本実施形態において、トイレットペーパーホルダーは、公衆トイレ等で多用されている本体が金属板からなるものを中心に説明する。以下、各構成部材について詳細に説明する。
【００１５】
図３乃至図５において、トイレットペーパーのホルダー１１は、周知のステンレス製のものであり、本体１２と芯材２１とで構成されている。本体１２は、トイレの壁面に当接して取付けられる矩形板状の背面板１３と、左右両側方に配設された保持腕部１４と、上蓋１５とを備えている。左右一対の保持腕部１４，１４は背面板１３の左右両端部から直角方向に屈曲し前方に張り出して側壁となっており、前方の先端側には芯材２１の取着軸２４が挿通されてこれを保持する軸受孔１６が設けられ、その周辺は軸受部１７となっている。上蓋１５は、ステンレス板の上端部を丸くカーリングさせてその内部に軸棒１８を挿通させ、軸棒１８の両端部を保持腕部１４の後方上部に設けられた支持孔１９に支持させることにより保持腕部１４に取付けられており、軸棒１８を中心に上下方向に回動できるようになっている。本体１２は、背面板１３にビスを挿通して螺着したり両面接着テープで接着するなどしてトイレの壁面に取付けることができる。
【００１６】
ホルダー１１の芯材２１は、合成樹脂製で、円管からなる第１パイプ２２と第２パイプ２３とを組み付けて形成されている。図３の右側の第２パイプ２３は更に大径部２３ａと小径部２３ｂとからなり、大径部２３ａは図３の左側の第１パイプ２２と同一の外径を有し、小径部２３ｂは第１パイプ２２内に嵌入するようになっている。両パイプ内には図示しないがコイルスプリングが収容されており、常時両パイプを離間する方向に付勢している。また、両パイプの端部には保持腕部１４の軸受孔１６に挿通されて取着される取着軸２４が長手方向に突設されていて、両パイプをコイルスプリングの付勢力に抗して左右両側から軸方向に圧縮しつつ、取着軸２４を保持腕部１４の軸受孔１６に挿通することにより保持腕部１４に取着し保持させることができるようになっている。
【００１７】
次に、本発明である引出具１は、図１乃至図５に示すように、筒状部２とハンドル板部３とで構成されている。筒状部２は、発泡樹脂からなる弾性材で円筒状に形成されており、内径はホルダー１１の芯材２１の外周面より僅かに小さく形成され、外径はトイレットペーパーのロール３１における中心部の空間である軸芯空間部３２の内壁面３２ａより僅かに大きく形成され、芯材２１の外周面とロール３１の軸芯空間部３２の内壁面３２ａとの間隙より僅かに大きい厚さに形成されている。筒状部２は、芯材２１とほぼ同一の長さに形成されている。但し、筒状部２はこれより短かくてもよい。
【００１８】
筒状部２は、ホルダー１１の芯材２１の外周面とロール３１の軸芯空間部３２の内壁面３２ａとの間に形成された円管状の間隙の空間内に介挿されるようになっている。なお、図１(b)及び図２に示す筒状部２の右側の先端部における外壁２ａは開口に向けてテーパ状に縮径し、取付時に筒状部２をロール３１の軸芯空間部３２内に挿入し易くしてある。
【００１９】
一方、引出具１のハンドル板部３は、図２に示すように、ポリプロピレン等の合成樹脂材を使用して略円板状の薄板に形成され、中央部分には円筒状の接続部８が平面部分と直交して筒状部２の端面２ｂと対向する方向に一体に突設されている。接続部８は筒状部２の内径より僅かに大きい外径を有している。更に、接続部８は外面に軸方向に沿って内部に貫通するスリット９が設けられており、スリット９の幅は、ハンドル板部３とは反対の先端に向かうに従って徐々に拡大している。ハンドル板部３と接続部８とは射出成形等により一体に形成することができる。ハンドル板部３は、図２に示すように、接続部８を筒状部２の端面２ｂ側からその内部に挿入することにより筒状部２に着脱自在に取付けられる。このとき、接続部８にはスリット９が形成されているので、最初にスリット９の部分を外側から押さえて縮径させた状態で押し込めば円滑に筒状部２内に挿入させることができる。接続部８が設けられていることにより、接続部８を筒状部２内に挿入した後は、筒状部２とハンドル板部３とはがたつくことなく安定して確実に接続された状態となる。なお、接続部８は、筒状部２内に格別支障なく挿入できれば、スリット９を設けないものとすることもできる。
【００２０】
そして、ハンドル板部３は、図３に示すように、ホルダー１１の上蓋１５の左右の側縁部１５ａと保持腕部１４との隙間Ｓ内に配置されるよう形成されている。すなわち、ハンドル板部３の板厚は、ホルダー１１の上蓋１５の側縁部１５ａと保持腕部１４との隙間Ｓ内に配置可能な大きさに形成されている。具体的には、前記隙間Ｓは一般に相当に狭いため、１〜１．５ｍｍ程度となっている。勿論、前記隙間Ｓに配置可能であれば、それ以上の板厚であってもよいし、逆に、隙間Ｓが更に狭ければ、前記寸法以下の板厚となる。
【００２１】
更に、ハンドル板部３は、外周部５に指が引掛けられる引掛部４が形成されている。引掛部４は、図１に示すように、正面から見て外周部５に複数のＶ字状やコ字状の切欠部６が周方向に等間隔をおいて設けられることによって形成されている。すなわち、ハンドル板部３は、全体としては略円板状であるが、花びら状や放射状の羽根形状の外観を呈している。加えて、ハンドル板部３の外径は、ロール３１の最大径より大きく形成されており、引掛部４はロール３１の外方に僅かに突出している。
【００２２】
このように構成された引出具１をホルダー１１に取付けるには、ホルダー１１から取り外した芯材２１を軸方向に移動させて筒状部２内に挿入する。次に、引出具１の筒状部２を新しいロール３１の軸芯空間部３２内に押し込んで取付ける。このとき、筒状部２の先端部における外壁２ａは開口に向けてテーパ状に縮径しているので、円滑にロール３１の軸芯空間部３２内に挿入することができる。次に、引出具１と芯材２１とロール３１とが一体に組み付けられた状態で、芯材２１の両端部の取着軸２４を左右両側の保持腕部１４の軸受孔１６にそれぞれ挿入すれば、ホルダー１１への取付けが完了する。
【００２３】
引出具１がホルダー１１に取付けられた後は、図３に示すように、筒状部２は芯材２１の外周面とトイレットペーパーロール３１の軸芯空間部３２の内壁面３２ａとの空間内に介挿された状態にあり、また、ハンドル板部３は、ロール３１の側面３３と平行する状態にあるとともに、薄板で形成されているから、ホルダー１１の上蓋１５の側縁部１５ａとホルダー１１の保持腕部１４との狭い隙間Ｓ内に収められた状態となる。この状態においては、ハンドル板部３は、周辺部と干渉するのが回避され、回転操作が妨げられることはない。
【００２４】
次に、ホルダー１１に取付けられた引出具１を使用してトイレットペーパー３４の先端部を必要量ロール３１から下方に引き出す方法を説明する。
トイレットペーパー３４を引き出す前は、その先端部は、図３(b)に示すように、ホルダー１１の上蓋１５の先端縁部１５ｂで切断され、その位置で停止した状態にある。今、その状態からトイレットペーパー３４を引き出すには、引出具１のハンドル板部３の外周部５の引掛部４に指を引掛けて、ハンドル板部３を矢印方向に回転操作し、下方に所定角度回転させる。すると、ハンドル板部３に一体に接合されている筒状部２も同位相回転する。ここで、筒状部２は、外径がロール３１の軸芯空間部３２の内壁面３２ａの内径より僅かに大きく形成されているので、外壁がロール３１の軸芯空間部３２の内壁面３２ａに圧接し弾性的に内壁面３２ａを押圧している。このため、筒状部２が回転すると、ロール３１も一体となって同位相回転することになる。その結果、トイレットペーパー３４の先端部はホルダー１１の上蓋１５の先端縁部１５ｂから離間して自重で垂れ下がり下方に引き出される。
【００２５】
図４はトイレットペーパー３４が下方に引き出される途中の状態を示し、図５はトイレットペーパー３４が下方に引き出された後の状態を示す。引出量はハンドル板部３の回転角度を変えることによって任意に調整できる。なお、このとき、ハンドル板部３の外周部５の引掛部４により、ハンドル板部３の外周部５への指の掛かりが良く、円滑にハンドル板部３を回転させることができる。
【００２６】
次に、本実施形態の引出具１の作用を説明する。
引出具１は、筒状部２がホルダー１１の芯材２１の外周面とロール３１の軸芯空間部３２の内壁面３２ａとの間隙に介挿されるとともに、ハンドル板部３は、ホルダー１１の上蓋１５及び保持腕部１４との干渉を避けてホルダー１１の上蓋１５の側縁部１５ａと保持腕部１４との狭い隙間Ｓ内に配置できるよう構成されているので、既存のホルダー１１に後付けで簡単に取付けることができる。
【００２７】
また、引出具１の筒状部２の外壁はロール３１の軸芯空間部３２の内壁面３２ａと圧接しているので、ホルダー１１に取付けた後は、ハンドル板部３を指で回転すれば、これと連動して筒状部２及びロール３１も一体に同位相回転する。このため、ハンドル板部３を指で回転操作するだけで、ロール３１を回転させることができ、片手でも簡単に上蓋１５の先端縁部１５ｂからトイレットペーパー３４を必要量だけ引き出すことができる。
【００２８】
加えて、引出具１は、筒状部２とハンドル板部３との簡易な構造で形成でき、したがって、安価に製作することもできる。また、ハンドル板部３の引掛部４は、複数の切欠部６で形成されているので、簡易な構成で形成できる。
【００２９】
ところで、上記実施形態のハンドル板部３は、全体が平坦面に形成されているが、ホルダー１１が合成樹脂で形成されているような場合には、ホルダー１１の軸受部１７が図６に示すように芯材２１側に少し突出しているものがあり、この場合には、ハンドル板部３がホルダー１１の芯材２１の軸受部１７あるいは上蓋１５と干渉する恐れがある。そこで、このような場合は、ハンドル板部３は、ホルダー１１の芯材２１の軸受部１７及び上蓋１５との間の隙間Ｓ内をぬうようにしてそれらとの干渉を回避する形状に屈曲形成するとよい。
【００３０】
また、上記実施形態の引出具１のハンドル板部３は、ホルダー１１の上蓋１５の側縁部１５ａと保持腕部１４との隙間Ｓ内に収まるように形成されているが、必ずしもこれに限定されるものではなく、外周部が上蓋１５と干渉し、上蓋１５の内面に当接するものとしてもよい。この場合、ハンドル板部３の外周部５は、ロール３１の外周縁より半径方向に突出しているので、ハンドル板部３を回転させると、上蓋１５の内面に当接するものの、上蓋１５はハンドル板部３の外周部５がロール３１から突出している分だけその外周面から浮き上がるだけであり、ハンドル板部３の回転が阻害される訳ではない。したがって、格別の支障なくハンドル板部３を回転させることができる。なお、トイレットペーパー３４を切断するときは、ロール３１の外周面を上蓋１５で抑えることができないので、ハンドル板部３を少し回転させてトイレットペーパー３４の先端部を少し引き出し、これを摘んで横方向に移動させながら切断するとよい。
【００３１】
また、上記実施形態の筒状部２は、ホルダー１１の芯材２１への取付けに際しては、芯材２１を軸方向に移動させて取付けているが、芯材２１の端部等に鍔等の環状突起などが形成されている場合には、軸方向に移動させて取付けることができないことがあるので、その場合には、筒状部２は、図７に示すように、長手方向に沿って縦割りのスリット７を形成しておけば、芯材２１に取付けるときは、スリット７の部分を左右に拡開し、そこに生じた開口を芯材２１に外嵌して取付けることができる。
【００３２】
そして、引出具１のハンドル板部３は、円筒状の接続部８を設け、筒状部２に安定して確実に接続しているが、必ずしも接続部８を設けたものでなくてもよく、筒状部２の左側の端面２ｂに接着剤による接着や超音波溶着等による手段によって接合してもよい。
【００３３】
加えて、上記実施形態のハンドル板部３の引掛部４は、図８に示すように、外周部５をシリコン等の樹脂液槽内に浸漬して被覆することにより被覆部１０を形成してもよい。この場合は、指との当たりが和らげられ、手触り感が向上する。
あるいは、引掛部４は、外周端面を鋸歯状の凹凸に形成してもよく、この場合は、指の引掛かりが更に良くなる。
また、引掛部４は、図示しないが、ハンドル板部３の平面部分において円中心から半径方向に所定距離離間した位置に、複数の半球状等の小突起を周方向に間隔をおいて環状に突設して形成してもよい。
【００３４】
更に、ハンドル板部３は、全体が略円板状に形成されているが、必ずしもこの形状に限られるものではなく、例えば角板状等に形成してもよい。
同様に、筒状部２は、円筒状に形成されているが、これに限られるものではなく、四角筒、六角筒、八角筒等の角筒状などに形成してもよい。
【００３５】
加えて、筒状部２は、発泡樹脂で形成されているが、弾性を有する軟質樹脂材、ゴム材等で形成してもよい。
【００３６】
そして、筒状部２は、内径がホルダー１１の芯材２１の外周面より僅かに小さく形成されているが、これに限られるものではなく、芯材２１の外周面より大きい内径に形成してもよい。
【００３７】
加えて、上記実施形態のハンドル板部３は、筒状部２の一側の端面のみに取付けているが、筒状部２の左右両側の端面に取付けてもよい。
【００３８】
なお、上記実施形態では、引出具１は、金属製の図３に示した形態のホルダー１１に取付けるものを例示しているが、本発明を実施する場合には、樹脂製ホルダー等他のホルダーにも同様に適用することができる。
また、上記実施形態では、ホルダー１１の芯材２１は、コイルスプリングを内蔵し第１パイプ２２と第２パイプ２３とを相対移動させて軸方向に伸縮させたものを例示しているが、本発明は、芯材２１が合成樹脂で蛇腹状に形成されて軸方向に伸縮するもの等にも同様に適用することができる。
【符号の説明】
【００３９】
１  引出具                            １５  上蓋
２  筒状部                            １５ａ  側縁部
３  ハンドル板部                      １７  軸受部
４  引掛部                            ２１  芯材
５  外周部                            ３１  ロール
６  切欠部                            ３２  軸芯空間部
１１  ホルダー                          ３２ａ  内壁面
１４  保持腕部                          Ｓ  上蓋の側縁部と保持腕部との隙間
【図１】
2016198335.tif 000003
【図２】
2016198335.tif 000004
【図３】
2016198335.tif 000005
【図４】
2016198335.tif 000006
【図５】
2016198335.tif 000007
【図６】
2016198335.tif 000008
【図７】
2016198335.tif 000009
【図８】
2016198335.tif 000010